(57)【要約】【課題】  船尾形状の工夫により推進効率が向上させられた二軸船尾双胴型船舶を提供する。【解決手段】  船尾部１３にスケグ１１・１２を有する船体１と、船尾部１３のそれぞれに設けられたプロペラ２１０１・２２０１と、これら二つのプロペラのそれぞれを駆動するポッド推進器２１０・２２０を備えた二軸双胴型船において、プロペラ２１０１・２２０１の軸芯線２１０１Ａ・２２０１Ａと前記スケグ１１・１２のセンター軸１１Ａ・１１Ｂからそれぞれオフセット２Ａ・２Ｂを持たせて位置設定するとともに、ポッド推進器２１０・２２０をスケグ１１・１２内側の横方向に連結するポッドストラット２１・２２を備えている。【選択図】  図1
2011168238.tif 000002
【特許請求の範囲】
【請求項１】
船尾に二つのスケグを有する船体と、前記船尾のそれぞれに設けられた二つのプロペラと、二つの前記プロペラのそれぞれを駆動する二つのポッド推進器を備えた二軸双胴型船において、前記プロペラの中心を前記スケグのセンター軸からそれぞれオフセットを持たせて位置設定するとともに、前記ポッド推進器を前記スケグの横方向に連結する連結部を備えていることを特徴とする二軸船尾双胴型船舶。
【請求項２】
前記ポッド推進器を電気駆動式としたことを特徴とする請求項１に記載の二軸船尾双胴型船舶。
【請求項３】
船尾に二つのスケグを有する船体と、前記船尾のそれぞれに設けられた二つのプロペラと、二つの前記プロペラを駆動する主機関を備えた二軸双胴型船において、二つの前記プロペラの駆動軸中心を二つの前記スケグのセンター軸からそれぞれオフセットを持たせて位置設定されており、前記スケグが前記プロペラの駆動軸を収容する突出部をスケグの横方向に備えていることを特徴とする二軸船尾双胴型船舶。
【請求項４】
二つの前記プロペラの回転方向を逆にしたことを特徴とする請求項１乃至３のうちの１項に記載の二軸船尾双胴型船舶。
【請求項５】
二つの前記スケグの後部を二つの前記プロペラの回転方向と逆方向にひねったことを特徴とする請求項１乃至請求項４のうちの１項に記載の二軸船尾双胴型船舶。
【請求項６】
前記プロペラの回転方向により前記オフセットの方向を変えたことを特徴とする請求項１乃至請求項５のうちの１項に記載の二軸船尾双胴型船舶。
【請求項７】
船舶の推進に伴う船体／船体に設けた付加物／構造物により引き起こされる流れの、プロペラ面における伴流分布の７０〜８０％半径で描かれた円を一周する循環のほぼ最大となる点に従ってプロペラの駆動軸の中心を位置設定されていることを特徴とする請求項１乃至請求項６のうちの１つに記載の二軸船尾双胴型船舶。
【発明の詳細な説明】
【技術分野】
【０００１】
本発明は、二つのスケグと二つのプロペラとを備えた二軸船尾双胴型船舶に関する。
【背景技術】
【０００２】
近年、船舶分野においても燃料代の高騰やエネルギー、環境問題の高まりから各種の省エネルギー化の実現方法が検討されている。船舶の運航方法や港湾等のインフラを除く船舶そのものを省エネルギー化する方法としては機関の効率アップや船型の改良がある。この船型の改良の一環として船尾におけるプロペラ等の推進器とこの推進器に関連して周辺の船型を工夫したいくつかの先行技術が存在する。
【０００３】
特許文献１は、ツイン・スケグを備えた船舶において、そのスケグ下部を船体の中央線から外側に折曲させることにより、スケグ部の抵抗を低減し、航行時の推進性能を向上させることができるとする技術思想を開示する。
【０００４】
しかし、この技術は単純に、スケグ形状の工夫により船舶の推進時の船尾上昇流を利用した推進力の向上とスケグ部の抵抗を低減させるということを目して思考されているのみで、船舶の推進効率の向上を念頭においているものではない。
【０００５】
特許文献２は、ツイン・スケグを備えた船舶において、各スケグの後方の左右に水平方向のフィンを設置することにより、各スケグ部の内外両側に生じる船尾流れのうちの上昇流を遮ることなく下降流を弱めるように整流させ、下降流に起因する圧力損失を低減させて船体抵抗を低減させることができるとする技術思想を開示する。
【０００６】
しかしこの技術思想は、船尾流れの下降流の整流による船体の圧力損失を低減させる思想であり、船舶の推進効率の向上に関したものではない。
【０００７】
特許文献３は、船舶の推進器を構成するスクリュープロペラの前方に垂直方向に設けられた取付ケースの側面後部の片面を、スクリュープロペラの翼の傾き方向と同方向に傾くテーパー面に形成したことにより、高速回転するスクリュープロペラを避けてその外周側を流れていた水流を、スクリュープロペラの前方に設けられた取り付けケースの側面後部に形成されたテーパー面によってその流れを変えて、スクリュープロペラの回転の逆方向からスクリュープロペラに向けて圧縮された水を送り込むことができるとする技術思想を開示する。この送り込まれた水によって、スクリュープロペラの空掻きに近い状態を解消して、回転するスクリュープロペラは後方への排出量を増加させ、これによって、船舶の推進効率を高めることができ、ひいては燃費の改善にも寄与することができるとするものである。
【０００８】
しかし、この技術は、スクリュープロペラ１４の前方に位置する取付ケース１３の存在により生じるスクリュープロペラ１４を避ける流れによる推進効率の低下を、少しでも軽減しようとする工夫であり、真に船舶の推進効率を高めるものではない。
【０００９】
特許文献４は、高速艇の欠点を解消するための技術的思想を開示する。つまり、高速艇においてプロペラ羽根が水中にある下半分側で推進力を発生させる場合が多く、流速の遅いスケグの後流がプロペラ軸を含む面内を中心に発生している為、十分な推進力が発生せず、かつ、プロペラ回転反力が十分に吸収できない欠点がある。そこで、強度の高い材料で作った薄い組立て式スケグを、プロペラ軸を含む面から偏心させて取り付けることによって、この欠点を改善する技術思想を開示している。
【００１０】
しかし、特許文献４は用途として高速艇を前提としており、プロペラの上半分の面が水面から出ているということを念頭においている。このため、スケグを備えた一般の運搬用途の船舶に関する本願発明とは技術的分野及び課題を異にする。すなわち駆動軸のハウジングの下側の影響を考慮したものではなく、略半分が水中に存在する歯車箱のケーシングの影響による効率低下の対策を取ったものでもない。また、単純にプロペラに当たる水流の量を増やすということを目的としているため、プロペラの回転方向と流れの接触の仕方といったことに関しては全く考察が見られず、真に船舶の推進効率を高めるものではない。この点で本願発明の意図するところ、課題とするところとは異にする。
【００１１】
特許文献５は、船舶の進行に伴って左右一対の逆回転縦渦をプロペラ面に生じる一軸船舶において、そのプロペラシャフト配置による影響以外は左右対称性を維持した船尾外形構造と、右回転プロペラの場合には右側へ、左回転プロペラの場合は左側へ、船体中心線から偏った位置に回転中心を配置したプロペラとを備えていて、前記プロペラは前記左右一対の縦渦の両方からプロペラ回転方向とは逆向きの水流を前記回転中心の両側でそれぞれ獲得するように構成したオフセンターシャフト付き船舶の技術思想を示す。
【００１２】
特許文献５によれば、船体形状が左右略対象の船型を維持したまま、プロペラ軸を船体中心線よりわずかに外したことにより、船幅の大きい従来船にとって推進効率を減少させる原因となっていた縦渦の水流を逆に利用してプロペラの推進効率を大きく（約１０％）高めることができ、また船体形状は左右ほぼ対称の船型であるため、非対称船型船に比べて建造コストも低く容易に設計することができるとする。
【００１３】
しかし、この特許文献５は、プロペラの直前にプロペラ軸が貫通する船尾部を有した従来型の船舶に適用される例であり、船尾における流れが全く異なる二軸船尾双胴型船舶やポッド推進器を搭載した船舶に適用される技術ではない。
【００１４】
特許文献６は、スクリューに対する水の流れを改良することにより、燃料消費を改良するために、推進機軸の上部の船尾の一部を非対称構造にして且つ推進機軸の下部に球状体又はＵ字状体を有する非対称及び／又はねじれた船尾部分を組み合わすことにより船体を構成する技術思想を示す。
しかし、特許文献６に示されているように、スクリューに対する水の流れを改良するための手段として船体全体を曲げる構成を採用すると、当該船体全体の曲った部分が抵抗となり、推進効率を低下させる原因となる。このため、上記構成は、船舶の推進効率を向上させるための手段として必ずしも有効であるとはいえない。
【先行技術文献】
【特許文献】
【００１５】
【特許文献１】特開２００７−２２３５５７号公報
【特許文献２】特開２００６−３４１６４０号公報
【特許文献３】実用新案登録第２６０４０３７号公報
【特許文献４】米国特許第６，１５５，８９４号明細書
【特許文献５】特公平０４−０４６７９９号公報
【特許文献６】特開昭５７―１８２５８３号公報
【発明の概要】
【発明が解決しようとする課題】
【００１６】
本発明は、こうした従来技術上の課題を解決することを企図したものであり、特に船尾形状の工夫により推進効率が向上させられた二軸船尾双胴型船舶を提供することを目的とする。
【課題を解決するための手段】
【００１７】
請求項１に記載の本発明の二軸船尾双胴型船舶は、船尾に二つのスケグを有する船体と、前記船尾のそれぞれに設けられた二つのプロペラと、二つの前記プロペラのそれぞれを駆動する二つのポッド推進器を備えた二軸双胴型船において、前記プロペラの中心を前記スケグのセンター軸からそれぞれオフセットを持たせて位置設定するとともに、前記ポッド推進器を前記スケグの横方向に連結する連結部を備えていることを特徴とする。
上記の構成によれば、駆動軸の中心がスケグのセンター軸からオフセットを持たせたプロペラを持つことで、二軸船尾双胴型船舶においてスケグ後方にプロペラの回転方向と逆方向の流れを作ることが可能となり、伴流利得を増やすことができる。
ここで、「二軸船尾双胴型船舶」とは、水面下に沈んで水と直接接する下部船体（胴）が細長く左右二つに平行している船舶で、左右の各胴の中心軸上に推進手段を少なくとも一つずつ、合計二つ以上備えたものをいう。二軸船尾双胴型船舶とすることにより、船体の安定性のため設けられるスケグが小型のものでよくなり、積載スペースも増すことができる。
「プロペラ」とは、エンジンやモータ等推進手段の出力を船舶の推進力へと変換するための装置であり、たとえば推進力を得るための複数枚のブレード（羽根）・ブレードを支持するとともにシャフトからの出力を伝えるハブ・その他の部品を備えて構成されるものでよい。推進のための手段として使う際の回転力、空気抵抗等に耐えうる剛性、また恒常的な浸水に耐えうる性質を持つものであれば、金属、セラミック、樹脂など材質の如何は問わない。また、ジェットエンジンのようにプロペラのブレード部分が露出していなくとも、ブレードが回転し流体を掻くことで推進力を得る手段を用いるものでもよい。
「スケグ」とは、船底部から垂直方向に伸ばされた「ひれ」状の構造物である。スケグという呼称を有しないものであっても、おおよそプロペラの前方にあり、船舶の前進に伴う針路安定化を図る同等の船舶形状あるいは造作であればこれに含まれる。
「ポッド推進器」とは、紡錘型の中空容器の中に電動機を備えてプロペラを電力によって回転させる推進器あるいは機械式Ｚドライブなども指し、スケグと推進手段の位置関係をある程度自由に設定できる推進手段である。
「スケグのセンター軸」とは、たとえば当該船舶においておよそスケグと呼べる部分を、船舶の進行方向に垂直な平面で切断した断面図の重心付近を、船舶前方から後方まで結んだ線のように、スケグの内部を貫く軸のことである。
「センター軸からそれぞれオフセットを持たせて位置設定した」とは、一般的には推進手段のプロペラの回転軸とスケグのセンター軸は一致する形が取られているところ、本発明では船舶の推進効率の向上を企図してプロペラの駆動軸の中心をスケグのセンター軸からずらして設置したことをいう。
「スケグの横方向」とは、一対のスケグの内側または外側をいう。
【００１８】
請求項２の発明は、請求項１に記載されている二軸船尾双胴型船舶において、前記ポッド推進器を電気駆動式としたことを特徴とする。
前記ポッド推進器として電気駆動式のものを用いることにより、例えば、機械式Ｚドライブを用いる場合と比較して、プロペラを回転させるための機構を小さくすることかできるから、ポッド推進器をスケグに連結する連結部を小さくすることができる。
【００１９】
請求項３に記載の本発明の二軸船尾双胴型船舶は、船尾に二つのスケグを有する船体と、前記船尾のそれぞれに設けられた二つのプロペラと、二つの前記プロペラを駆動する主機関を備えた二軸双胴型船において、二つの前記プロペラの駆動軸中心を二つの前記スケグのセンター軸からそれぞれオフセットを持たせて位置設定されており、前記スケグが前記プロペラの駆動軸を収容する突出部をスケグの横方向に備えていることを特徴とする。
ここで、「主機関」とは、機械的エネルギーを継続的に発生させるエンジンなどの装置のことをいう。例えば、二つのプロペラそれぞれを別の主機関により駆動する構成とすると、本発明の二軸船尾双胴型船舶の備える主機関の数は二つとなる。しかし、主機関を二つ備えることは必ずしも必要ではなく、一つの主機関により二つのプロペラを駆動する構成とすることもできる。
【００２０】
請求項４の発明は、請求項１乃至３のうちの１つに記載の二軸船尾双胴型船舶において、二つの前記プロペラの回転方向を逆にしたことを特徴とする。これにより、二軸船尾双胴型船舶のスケグに対称的に生じる流れを有効にプロペラに働かせ、伴流利得を増やすだけでなく、同方向への回転による不均衡な力が船体に作用することを避けられることから、船舶の安定航行に資する。
【００２１】
請求項５の発明は、請求項１乃至請求項４のうちの１つに記載の二軸船尾双胴型船舶において、二つの前記スケグの後部を二つの前記プロペラの回転方向と逆方向にひねったことを特徴とする。
ここで「回転方向と逆にひねった」とは、たとえば船舶後方から見てプロペラが時計回りに回転している場合に、スケグを反時計方向に変形させたことをいう。これにより、プロペラに対し回転方向と逆向きの流れを回転流化して作用させることができる。
変形にはスケグの形状を変化・変動させるあらゆる態様が含まれる。すなわち、このスケグのプロペラの回転方向と逆方向にひねった形状としては、スケグの前方から緩やかに曲げた形をとっても良いし、スケグ後方付近で急激に曲げた形状のものでもよく、スケグ本来の機能を果たしつつ、摩擦抵抗をそれほど増やさずプロペラの推進効率に有効な回転流化した流れを生ずる形状でもよい。形成方法としては、船底と同じ材質で一体的に形成にしてもよいし、スケグの付け替えが可能なように、船底とは別部品として着脱可能にしたものでもよい。材質は、回転流を安定して生み出し続けるという趣旨が達成できれば、金属、プラスチック、セラミック等の如何を問わない。
上記の構成によれば、スケグにひねりを加えることで、流れのベクトルを更に有効にプロペラに作用させプロペラに当たるカウンターフローを最大化できる。
【００２２】
請求項６の発明は、請求項１乃至請求項５のうちの１つに記載の二軸船尾双胴型船舶において、前記プロペラの回転方向により前記オフセットの方向を変えたことを特徴とする。
ここで、「回転方向により前記それぞれのオフセットの方向を変え」たとは、たとえばプロペラが時計回りのときはスケグからのオフセットを右側に、プロペラが反時計回りのときはスケグからのオフセットを左側に、といった具合にオフセットの左右方向を変えることをいう。たとえば、二軸船尾双胴型船舶においては、中央のトンネル状船底凹部から左側のスケグには反時計方向の、また右側のスケグには時計方向の流れが生ずることが多いが、この場合、左側プロペラを右方向に、また右側プロペラを左方向にオフセットさせることを言う。これは、スケグ後方において自然に生じる流れに対してプロペラの回転を逆方向から当て、プロペラが受けるカウンターフローを可能な限り大きくすることを企図したものである。船舶によっては二つのプロペラの回転方向が同方向あるいは逆方向をとるものがあるが、こういった船舶においても本発明の実施は妨げられない。
上記の構成によれば、プロペラの回転方向に適応させてオフセットの方向が設定されるので、プロペラがその回転面で受けるカウンターフローのベクトル量の総和を可能な限り大きくすることが可能となる。
【００２３】
請求項７の発明は、請求項１乃至請求項６のうちの１つに記載の二軸船尾双胴型船舶において、船舶の推進に伴う船体／船体に設けた付加物／構造物により引き起こされる流れの、プロペラ面における伴流分布の７０〜８０％半径で描かれた円を一周する循環のほぼ最大となる点に従ってプロペラの駆動軸の中心を位置設定されていることを特徴とする。
上記の構成によれば、当該船舶の船尾部の形状や状態に応じた、最適なオフセット幅を導出し、プロペラが捕らえるスケグ後方の循環として評価されるカウンターフローを最大に利用することができる。これにより、当該船舶の船尾部形状や状態に応じた、最適なオフセット幅を導出し、当該スケグ形状とプロペラの組み合わせにおいてプロペラの受けるカウンターフローを大きくすることができ、よって伴流利得も大きくする船尾形状とすることができる。
ここで「プロペラ面における伴流分布」とは、船舶の推進に伴う船尾部の船体形状、付加物、構造部等により引き起こされたプロペラ面に流入する流れの速度分布のことである。
「７０〜８０％半径で描かれた円を一周する循環のほぼ最大となる点」とは、たとえば、上記プロペラの７０~８０％半径で描かれた円の周上において、プロペラへの流れベクトルＶＴを上記円の周上で積分し、これをプロペラの回転軸の座標の関数として最大値を求めることで定義することができる点である。
循環とは、流れの中の閉曲線に沿った各点の接線方向のベクトルと線分の積を全周積分して求めるものである流体力学で言う循環だけでなく、プロペラが回転する円周に沿った流れのベクトルを使って循環的に求めるものを含んだ広義のもの（後述では「循環に相当する値」と表現される）をも含んだ概念をいう。
なお、計算を簡易にするために伴流分布の７０〜８０％半径で描かれた円の周上で積分を行っているが、より正確にプロペラの最適な回転軸の座標を求めるために、プロペラ面の全面において循環を計算し、プロペラ面の推進力も加味して最大値を求めてもよい。
【発明の効果】
【００２４】
本発明によれば、ポッド推進器を連結する連結部がスケグの横方向に設けられているから、縦方向に連結する場合と比較して連結部を小さくすることができる。このように、連結部を小さなもので構成することにより、二軸船尾双胴型船舶が推進する際の連結部に起因する摩擦抵抗を小さくすることができる。
また、二軸船尾双胴型船舶とすることにより、船体の安定性のため設けられるスケグが小型のものでよくなり、プロペラ前方の障害物としての伴流への悪影響が少なくなる。
また、オフセットによりスケグ後方にプロペラに対し推進効率上、有効に作用する流れのベクトル成分を多くすることができ、推進効率を向上させた省エネルギーの観点で望ましい船舶を提供することができる。
また、ポッド推進器を用いることにより、プロペラの前方におけるプロペラを駆動する構造物や付加物が無くせるため、プロペラ前方の障害物としての伴流への悪影響が更に少なくでき、また、オフセット幅を相当の自由度を持って設定できるので、推進効率の向上の上で最適な位置にプロペラを臨ませることができる。
また、プロペラを駆動し船舶を推進するポッド型推進手段とオフセットを持たせて位置設定したスケグにより、プロペラの前部に一軸型推進船や二軸型推進船などが有する推進軸を通す構造物が無いため、プロペラ前方の障害物としての伴流への悪影響が更に少なくでき、かつスケグ後方に生じる流れをプロペラにカウンターフローとして有効に作用させ、更に推進効率の向上が図れる。
【００２５】
また、ポット推進器として電気駆動式のものを用いることにより連結部をさらに小さくすることができるから、二軸船尾双胴型船舶が推進する際の連結部に起因する摩擦抵抗がさらに小さいものを実現することができる。
【００２６】
また、本発明によれば、スケグの横方向に突出部が設けられているから、突出部に駆動軸を収容することにより、スケグのセンター軸から横方向にオフセットさせた位置にプロペラを配置することができる。例えば、推進力を向上させるには、プロペラがスケグのセンター軸よりも二軸船尾双胴型船舶の内側に位置させる必要がある。この場合、二つのスケグのそれぞれの形状を大きく非対称としかつ内側に張り出させることにより、プロペラを最適な位置に配置することができる。
【００２７】
また、二つのプロペラの回転方向を逆にすることより、二軸船尾双胴型船舶のスケグに対称的に生じる流れを有効にプロペラに働かせ、推進効率を向上するとともに、船体に作用する力をバランスさせ船舶を安定的に航行させることができる。
【００２８】
また、スケグの後部をひねり、プロペラに対し回転方向と逆向きの流れを作用させることにより、プロペラに当たるカウンターフローを大きくし、推進効率の最大化を図ることができる。
【００２９】
また、プロペラの回転方向に適応させてオフセットの方向を設定することで、プロペラがその回転面で受けるカウンターフローのベクトル量の総和を最大化でき、これにより、推進効率向上の最大化を図ることができる。
【００３０】
また、流れの循環に基づいて、船舶の船尾部の形状や状態に応じた最適なオフセット幅を導出することにより、プロペラが捕らえるスケグ後方のカウンターフローを利用し、推進効率を確実に向上できる。
【図面の簡単な説明】
【００３１】
【図１】本発明の実施の形態１に係る二軸船尾双胴型船舶を後方から見た概略を示す模式図
【図２】図１の二軸船尾双胴型船舶の船尾付近をＣ１―Ｃ２線で切断した断面図
【図３】図１の船舶に用いたスケグとポッド推進器の位置関係を示す概念図
【図４Ａ】従来の一軸船の船尾周りの流れを模式的に示した模式図
【図４Ｂ】本発明の実施の形態１に係るスケグまわりの流れを示した模式図
【図５】本発明の実施の形態２に係る二軸船尾双胴型船舶を後方から見た概略を示す模式図
【図６】図５の二軸船尾双胴型船舶スケグ内部を説明する模式図
【図７】一般的なプロペラの推進力分布を示す模式図
【図８】本発明の一実施形態に係るプロペラ前面での流れのベクトルと伴流分布図
【図９】同プロペラ駆動軸の最適位置を示す循環の等高線図
【図１０】同循環の三次元俯瞰図
【発明を実施するための形態】
【００３２】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００３３】
（実施の形態１）
化石燃料に依存しない将来の舶用推進システムを考慮した場合、電気推進を前提とするポッド推進器は、現在の推進装置の中で最も実績と信頼がある。一方、電気推進の最大のデメリットはそのエネルギー変換効率であり現在は１２〜１３％程度の損失があると考えられている。したがって、１〜２％しか伝達損失の無い従来の主機関直結のディーゼル推進にくらべ１０〜１１％不利となる事は避けられない。これらを解消するためには、ポッド推進器の特質を最大限に活かした船型設計を実施する必要がある。
本実施の形態の二軸船尾双胴型船舶は、オフセットさせたポッド推進器をとりつけるポッドストラット（連結部）をスケグの横方向に設けることにより、ポッドストラットの摩擦抵抗の大幅な低減を実現したものである。このため、ポッドストラットの摩擦抵抗を低減させることにより、二軸船尾双胴型船舶の推進効率を向上させることができる。
【００３４】
図１は、本発明の一実施形態に係る二軸船尾双胴型船舶を後方から見た構成の概略を示す模式図である。同図に示すように、船体１の船尾部１３に、一対のスケグ１１・スケグ１２、これらのすぐ後ろにそれぞれ設けられている一対のポッド推進器２１０・ポッド推進器２２０が備えられている。
それぞれ×で示すプロペラ２１０１の軸芯線２１０１Ａとスケグ１１のセンター軸１１Ａとの隔たりをオフセット２Ａと、プロペラ２２０１の軸芯線２２０１Ａとスケグ１２のセンター軸１２Ａとの隔たりをオフセット２Ｂと、それぞれ表記している。なお、ポッド推進器を有した二軸双胴型船尾形状の船舶は一例であり、後述する実施の形態２に示すように、駆動軸が貫通した二軸双胴型船尾形状を有する船舶（二軸船尾双胴型船舶）においても本発明の実施を何ら妨げるものではない。
【００３５】
実施の形態１に係わる二軸船尾双胴型船舶が推進する際、スケグ１１、スケグ１２および船体１の船底２０で囲まれている船尾部１３付近のトンネル状凹部１４内において、図１中に破線の中抜き矢印で示した船尾部１３方向（図１の手前方向）への強い上昇流Ｆが発生する。なぜなら、二軸船尾双胴型船舶の船尾部１３付近をＣ１―Ｃ２線で切断した図２の断面図に示すように、トンネル状凹部１４を囲んでいる船体１の船底２０は、船尾部１３向かって高くなるように急激に傾斜している。このため、図に破線で示した喫水線Ｌ下では、船体１の推進に伴って、船底２０の傾斜に沿った斜め上方向への上昇流Ｆが発生する。そして、ポッド推進器２２０はスケグ１２の中心軸からオフセットさせて所定の位置に臨ませるには、同図に一点鎖線を用いた想像線で示したような縦方向に連結する連結部２４が必要となる。すなわち連結部２４としては縦方向に長いものが必要であり、またモーメント的な強度を確保するため必然的に断面積も大きくなるから、結果として連結部２４の表面積は非常に大きくなる。この連結部２４が上昇流Ｆにさらされることにより大きな摩擦抵抗を生ずる原因となり、推進効率を低下させることになる。このことは、もう一方のポッド推進器２１０についても同様である。
【００３６】
そこで、図１に示すように、本実施の形態の二軸船尾双胴型船舶では、ポッド推進器２１０およびポッド推進器２２０を、スケグ１１およびスケグ１２の横方向に連結することにより、連結部の表面積を小さくし、上昇流Ｆに連結部がさらされることによる摩擦抵抗の減少を実現している。
すなわち、ポッド推進器２１０は、スケグ１１の内側（後方から見たときに右となる側）に設けられたポッドストラット（連結部）２１を介してスケグ１１に連結されており、ポッド推進器２２０は、スケグ１２の内側（後方から見たときに左となる側）に設けられたポッドストラット（連結部）２２を介して、スケグ１２に連結されている。ポッド推進器２１０をオフセットを持たせて臨ませる位置は、通常船底２０よりもスケグ１１に近い。このため、ポッド推進器２１０をスケグ１１の内側に連結することにより、船底２０に縦方向に連結した場合（図２参照）と比較して、ポッドストラット２１を小さくすることができる。すなわち、ポッドストラット２１がスケグ１１の横方向に連結されることにより、結果としてその表面積をきわめて小さく設定できる。また、ポッド推進器２１０とスケグ１１との間は、ポッド推進器２１０と船底２０との間よりも上昇流Ｆの流れが遅い。これらのことは、他方のポッド推進器２２０をスケグ１２の内側に連結するポッドストラット２２についても同様である。
したがって、ポッドストラット２１およびポッドストラット２２をスケグ１１およびスケグ１２の横方向に設けることにより、表面積を極めて小さいものとして構成しかつ流れの遅い部分に配置することができる。これにより、オフセットさせたポッド推進器２１０およびポッド推進器２２０を船体１に連結する、ポッドストラット２１およびポッドストラット２２が、上昇流Ｆにさらされることに起因する抵抗を小さくすることができる。
【００３７】
図１に矢印で示したように、ポッド推進器２１０のプロペラ２１０１と、ポッド推進器２２０のプロペラ２２０１とは反対方向に回っている。より具体的には、ポッド推進器２１０１は後方から見たときに時計回り、プロペラ２２０１は後方から見たときに反時計回りとなっており、いわゆる内回りの回転となっている。このため、ポッド推進器２１０は、図中に一点鎖線を用いた円で示したプロペラ２１０１の回転面の右半分の領域Ｒ１において、上昇流Ｆをカウンターフローとして用いることができる。同様に、ポッド推進器２２０は、図中に一点鎖線を用いた円で示したプロペラ２２０１の回転面の左半分の領域Ｌ２において、上昇流Ｆをカウンターフローとして用いることができる。なお、カウンターフローとは、プロペラの回転方向と逆方向の水の流れをいい、このカウンターフローを利用することにより、プロペラが水を回転させることによるロスを低減し、その推進力を向上させることができる。
【００３８】
また、プロペラ２１０１の回転面の左半分の領域Ｌ１の大部分は、スケグ１１とポッドストラット２１の後ろの水の流れが遅い領域に位置している。また、プロペラ２２０１の回転面の右半分の領域Ｒ２の大部分も同様に、水の流れが遅い領域に位置している。このため、上昇流Ｆをカウンターフローとして利用することができない領域では、オフセットさせたことによる影響をほとんど受けることがない。したがって、プロペラ２１０１の軸芯線２１０１Ａをスケグ１１のセンター軸からオフセットさせることにより、上昇流Ｆによる悪影響を受けることはほとんどない。このことは、プロペラ２２０１についても同様である。
したがって、プロペラ２１０１およびプロペラ２２０１をオフセットさせることにより、上昇流Ｆをカウンターフローとして用いることができるから、推進力が大幅に向上することとなる。
これにより、船尾部１３付近の船底２０の傾きに起因する上昇流Ｆを推進力の向上に利用することができるから、船底２０の斜度を大きくすることが可能となる。したがって、船尾部１３付近の船底２０の傾きの始点を従来よりも後ろにずらして、二軸船尾双胴型船舶の積載量を大きくすることができる。
【００３９】
以上のように、本実施の形態の二軸船尾双胴型船舶は、プロペラ２１０１およびプロペラ２２０１をスケグ１１およびスケグ１２のセンター軸からオフセットさせることにより、推進効率を向上させたものである。また、ポッドストラット２１およびポッドストラット２２を、スケグ１１およびスケグ１２の横方向に備えていることから、これらが上昇流Ｆにさらされることによる摩擦抵抗を最小限とすることができる。
なお、本実施の形態では、プロペラ２１０１およびプロペラ２２０１をスケグ１１およびスケグ１２の内側方向にオフセットさせることにより、トンネル状凹部１４の上昇流Ｆを利用して推進力を向上させているが、プロペラ２１０１およびプロペラ２２０１をスケグ１１およびスケグ１２の外側方向にオフセットさせた場合には、二軸船尾双胴型船舶の直進性を向上させることができる。
【００４０】
図３は、スケグ１１とポッド推進器２１０の位置関係について、船体１の後方から見たものを示す構成図である。同図においては、本実施の形態で採用しているスケグをひねった(ここではコクリア船型と称する)船尾形状について取り上げている。ポッド推進器２１０のプロペラ２１０１は推進時、時計回りに回転し、推進力を発生させる。左側のスケグ１１には、図で示すような断面で見た際の横方向にひねりが加えられている。スケグのセンター軸１１Ａから上部分が左側に、センター軸１１Ａから下部分が右側にそれぞれひねりが加えられている。
【００４１】
スケグのセンター軸１１Ａとは、たとえば当該船舶においておよそスケグと呼べる部分を、船舶の進行方向に垂直な平面で切断した断面図の重心付近を、船舶前方から後方まで結んだ線のように、スケグの内部を貫く軸のことである。
【００４２】
図３に示すとおり、ポッド推進器２１０のプロペラ軸心２１０１Ａは、ひねりの加えられたスケグ１１の軸心１１Ａからオフセットを持たせて設置されている。オフセットとは、流体力学的な効果を得ることを目して意図的に設けられたずれのことである。
【００４３】
図４Ａは、従来の一軸船の船尾周りの流れを模式的に示した模式図であり、図４Ｂは本発明の一実施形態に係るスケグまわりの流れを示した模式図である。
【００４４】
図４Ａに示すように、一般的な一軸船の船尾部３１では、船舶の推進時、船尾部の左側には時計方向の流れ３５Ａ、船尾部の右側には反時計方向の流れ３５Ｂが生じている。
【００４５】
一般的には、この船尾部３１の縦方向のセンターライン３１１上にプロペラの駆動軸３１１Ａが設置されており、時計回りのプロペラ（図示しない）が設置される場合、駆動軸よりも（船尾の後方から見て）左側ではプロペラの回転と同方向の流れ３５Ａが発生しており、駆動軸より（船尾の後方から見て）右側ではプロペラの回転と逆方向の流れ３５Ｂが発生している。プロペラから発生する推進力は、プロペラの回転方向と逆方向の流れを切るときに最大となるため、プロペラの左右で見た場合、船舶に与える推進力はプロペラの右側の面でより大きく発生していることになる。
【００４６】
スケグの場合はこの一般的な一軸船の船尾部に比べ、形状も小さく寸法的に幅も狭いところからスケグの後流は渦により定まった流れとならない。
【００４７】
通常の二軸船尾双胴型船舶の場合、スケグを備えることによる船尾形状の特性から一般的な一軸船の船尾部と異なる現象で、中央のトンネル状船体凹部から左側のスケグ１１付近には反時計方向の流れが、また右側のスケグ１２付近には時計方向の流れが生ずる。船体の船尾の後方から見ると、上記した一般的な一軸船の船尾部とは逆方向の流れがそれぞれ生じていると言える。
【００４８】
図４Ｂには、本発明に係る二軸船尾双胴型船舶における二つのスケグのうちの後方から見て左側のスケグ１２の形状を示している。
【００４９】
左側のスケグ１２は、船体の前方からゆるやかにひねりを加えられている。船舶が前進する際には自然な流れ１５Ａ、１５Ｂがスケグの左右において発生するが、スケグ１２のひねりを加えられた形状によって、二軸船尾双胴型船舶の船尾形状と相俟って、スケグ１２の右側１２Ｂで反時計回りの流れ１５Ｂが強くなり回転流化する領域が発生する。この領域にプロペラを臨ませることにより、プロペラがその回転面の右半分Ｒ１で受ける上昇流Ｆ（図１参照）のカウンターフローがより強くなり、伴流利得を増大し得る。
【００５０】
（実施の形態２）
本実施の形態の二軸船尾双胴型船舶は、実施の形態１において推進手段として用いられているポッド推進器を通常の主機関直結型推進器に変更したものである。プロペラの最適位置はスケグのセンター軸から大きく内側にオフセットした場所にあるが、通常のスケグ形状では、その地点に主機関直結型推進器のプロペラを配置するのは困難である。そこで、本実施の形態の二軸船尾双胴型船舶は、スケグ形状を大きく非対称とし、かつ内側に張り出した突出部を設けそこに主機関直結型推進器の推進軸を収容することにより、主機関直結型推進器を用いた場合に、ポッド推進器を用いた場合同様の高い推進効率を得ることを目的としている。具体的には、プロペラの中心位置をスケグ中心から大きく船体中央側にオフセットするため、スケグ形状を非対称とし、また内側に大きく突出部を設けるものである。
【００５１】
図５は、本実施の形態に係る二軸船尾双胴型船舶を後方から見た概略を示す模式図である。同図に示すように、本実施の形態の二軸船尾双胴型船舶の船体５０の船尾部５３には、一対のスケグ５１およびスケグ５２、これらのすぐ後ろにそれぞれ設けられている一対の主機関直結型推進器３１０および主機関直結型推進器３２０を備えている。同図では、プロペラ３１０１の軸芯線３１０１Ａとスケグ５１のセンター軸５１Ａとの隔たりをオフセット３Ａと、プロペラ３２０１の軸芯線とスケグ５２のセンター軸５２Ａとの隔たりをオフセット３Ｂと、それぞれ表記している。
【００５２】
本実施の形態の二軸船尾双胴型船舶は、実施の形態１の二軸船尾双胴型船舶と同様に、推進する際、スケグ５１、スケグ５２および船体１の船底６０で囲まれている船尾部５３付近のトンネル状凹部５４内において、船尾部５３方向（図５の手前方向）への強い上昇流Ｆが発生する。この上昇流Ｆをカウンターフローとして利用するためには、プロペラ３１０１およびプロペラ３２０１を、センター軸５１Ａおよびセンター軸５２Ａの内側にオフセットさせる必要がある。しかし、スケグ５１、スケグ５２を一般的な従来のスケグ形状とすると、プロペラ３１０１およびプロペラ３２０１をオフセットさせることができない。そこで、スケグ５１およびスケグ５２は、その内側に、プロペラ３１０１およびプロペラ３２０１の駆動軸を収容する突出部６１および突出部６２が設けられている。
このように、スケグ５１およびスケグ５２の内側（トンネル状凹部５４側）に張り出す突出部６１および突出部６２が設けられていることにより、プロペラ３１０１およびプロペラ３２０１を、上昇流Ｆを利用して推進効率を向上させるために最適な位置に配置することが可能となる。
【００５３】
図６は、図５の二軸船尾双胴型船舶のスケグ５２を船体中心側から見たものであり、スケグの内部を説明するための模式図である。スケグ５２はその内側に張り出した突出部６２を備えている。このため、同図に破線で示したように、プロペラ３２０１がオフセットされた状態で、その内部に、プロペラ３２０１を駆動するための駆動軸３２０２およびプロペラ３２０２に繋がれた主機関３２０３を備えることができる。このことは、他方のプロペラ３１０１についても同様である。
【００５４】
以上のように、本実施の形態の二軸船尾双胴型船舶は、スケグ形状を工夫することにより、従来困難であった推進効率上の最適な位置、すなわち大きく内側にオフセットした位置に主機関直結型推進器のプロペラを配置することを実現した。本実施形態の二軸双胴船尾型船舶においては、上昇流Ｆをカウンターフローとして利用することにより横方向に張り出した突出部６１、６２の表面積増大に伴う摩擦抵抗の増加をはるかに上回る推進効率上の向上が図れる。また、スケグをひねったコクリア船型とすることにより、カウンターフロー効果を更に増すとともに、横方向に張り出した突出部６１、６２の表面積を低減し、一層の推進効率の向上が図れる。
本実施の形態のように主機関を備えた二軸船尾双胴型船舶において、スケグ形状と駆動軸を収容する突出部を工夫することによって、ポッド推進器の装備に必要なコストアップを軽減できるなどのメリットがある。
【００５５】
（実施の形態３）
次に、プロペラの回転軸を設置するための最適な点をアルゴリズムによって求める方法について説明する。この方法は、上述した実施の形態１および実施の形態２の二軸船尾双胴型船舶のいずれに対しても用いることができる。
【００５６】
図７は、一般的なプロペラの推進力分布を示す模式図である。
【００５７】
プロペラの翼面は、面積が大きければ回転時に発生する推進力も大きくなるが、その分自らが水から受ける抵抗も大きくなるというトレードオフの関係にある。計算から求められ、一般的に知られている推進力の最大となる点は、回転軸からの距離がそのプロペラの回転半径の７０〜８０％の範囲である。ただし、プロペラ形状によっては推進力が最大となるピークの位置が異なる場合があるが、プロペラ前面で生じている回転流を可能な限り多く、カウンターフローとしてプロペラに当てることが本発明の趣旨であり、こういったプロペラについても本発明の実施を何ら妨げるものではない。
【００５８】
図８は、スケグ１１の後方（プロペラ２１０１の前面）での水の流れのベクトルと伴流分布図である。この流れのベクトルは、例えば実験施設などで物理的に測定して求めてもよいし、模型実験、コンピューターシミュレーション等の結果として得たものでもよく、スケグ周辺に生じている流れのベクトルが、当該スケグ１２を装備した船舶の実際の運転時に近い形で得られるという前提を満たしているものであれば手段の如何は問わない。
【００５９】
同図に示すとおり、ひねりを加えられたスケグには、左右非対称の流れが生じており、右側では反時計回り方向にベクトルの大きな流れが広がる区域が広くなっていることがわかる。これらの反時計回りの流れは、プロペラの推進効率を改善するカウンターフローすなわち回転流と言える。この反時計回りの回転流に時計回りのプロペラが当たる面積を可能な限り多くするために、プロペラの回転軸に右方向のオフセットを設ける。
【００６０】
プロペラ駆動軸のオフセット位置最適化のための実施形態に係る機能ブロックについて説明する（図示しない）。
【００６１】
この実施形態は、たとえば、実験やシミュレーションによって得られたスケグ後方に生じる流れのベクトルを入力し保持する流れベクトルデータ入力部と、プロペラが回転し水中で推進力を生み出す範囲をプロペラの半径として入力して保持する半径入力部と、入力された半径からそのおよそ７０〜８０％半径の近辺にある最大推進力を生み出す円の軌跡（最大推進力円Ｒ）を描く最大推進力円描画部と、最大推進力円Ｒの中心座標の値を連続的に変化させ最大推進力円描画部に渡す最大推進力円Ｒ中心座標制御部と、最大推進力円Ｒ上の座標と回転流ベクトルデータから最大推進力円Ｒ上の流れベクトルＶＴを導出する流れベクトルＶＴ導出部と、その流れベクトルＶＴを最大推進力円Ｒ上で全周にわたり線積分する流れベクトルＶＴ積分部と、最大推進力円Ｒの中心座標と線積分の結果からグラフをプロットするグラフプロット部とを備えて、構成される（図示しない）。
【００６２】
なお、この実施形態はたとえばソフトウェアとして実現されるものであり、各機能ブロックが担う機能や相互のつながりの詳細については様々なバリエーションをとりうる。プロペラの回転軸の最適座標位置を循環に基づいて求めるアルゴリズムであればよい。また、上記のソフトウェアの各構成要素は、上述したそれぞれの機能を実現する機械、装置、部品、或いは、こうした機能をコンピュータに実行させるアルゴリズム、このアルゴリズムを実行させるプログラム、もしくはこのプログラムを含めたソフトウェア、搭載媒体、ＲＯＭ（読み出し専用メモリ）、或いはこれらを搭載もしくは内蔵したコンピュータもしくはその部分によって実現される。また、これらを搭載したコンピュータ装置（パーソナルコンピュータ（ＰＣ）を含み、データ処理や演算を行う中央処理装置（ＣＰＵ）、所定のデータ入力を行う入力部（キーボード等）、入力したデータやデータ処理の結果を表示する画面表示部（ディスプレイ等）、種々のデータを記憶保持する記憶装置（メモリ、ハードディスクドライブ等）、所定の外部機器との接続を行うコネクタ（ＵＳＢ、ＲＳ２３２Ｃ等）等を有する情報処理装置）として実現してもよい。
【００６３】
プロペラの回転軸を設置するための最適な点を求めるには概略次のような手順をとることができる（図示しない）。すなわち、まず流れベクトルデータを求める。流れベクトルデータ入力部により実験やシミュレーションによって得られたスケグ後方に生じる流れのベクトルを入力する。次に半径入力部により、プロペラが回転し水中で推進力を生み出す範囲をプロペラの半径として入力して保持する。次に最大推進力円描画部により、当該入力された半径からそのおよそ７０〜８０％半径の近辺にある最大を推進力生み出す円の軌跡（最大推進力円Ｒ）を描く。最大推進力円Ｒ中心座標制御部により、最大推進力円Ｒの中心座標の値を連続的に変化させ最大推進力円描画部に渡す。次に流れベクトルＶＴ導出部により、最大推進力円Ｒ上の座標と回転流ベクトルデータから流れベクトルＶＴを導出する。ここで、流れベクトルＶＴとは、最大推進力円Ｒ上の座標における回転流ベクトルの最大推進力円Ｒの接線方向の成分をいう。次に流れベクトルＶＴ積分部により、その流れベクトルＶＴを最大推進力円Ｒ上で全周にわたり線積分する。次にグラフプロット部により、最大推進力円Ｒの中心座標と、線積分の結果からグラフをプロットする（図示しない）。このようにして、グラフプロットし等高線を求める。この等高線の最大の所を最適位置として定める。
【００６４】
なお、上記の流れのベクトル図は、例えば実験施設などで物理的に測定された結果から作成してもよいし、模型実験、コンピューターシミュレーション等の結果として得たものでもよく、スケグ周辺に生じている流れのベクトルが、当該スケグ１２を装備した船舶の実際の運転時に近い形で得られるという前提を満たしているものであれば手段の如何は問わない。
【００６５】
上述のように、流れベクトルＶＴ積分部が、最大推進力円Ｒの円周上の点（ｘ,ｙ）における流れベクトルＶＴにつき、円周上で一回転分、積分を行うが、これによって得られる値を、循環（相当値）Γとする。なお、循環に相当する値に関して、流体力学的に言う循環は、流れの中の閉曲線に沿った各点の接線方向のベクトルと線分の積を全周積分して求めるものであるところ、本実施形態の場合にはプロペラが回転する円周に沿った流れのベクトルを使って循環的に求めるものを含んだ広義のものをいうため、本説明においては「循環＝循環に相当する値」として表現されている。また、循環の略最大となる点を導出するに当たっては、費用対効果を勘案しつつ手段の工夫を行うこともできる。
【００６６】
さらに、プロペラ形状によっては推進力が最大となるピークの位置が異なる場合があり、そのために積分を行う円周が伴流分布の７０〜８０％の位置から外れてもよく、妥当な結果を得るための工夫を妨げるものではない。
【００６７】
上述では、プロペラ面（全面）におけるベクトルを用い、プロペラも２次元的に処理している場合について述べたが、３次元的な手法を用いてオフセットを求める、また３次元的なオフセットとプロペラの位置を求める態様であってもよい。この場合には、上記において、グラフプロット部が、最大推進力円Ｒの中心の座標（ｘ,ｙ）によって定まる循環ΓをＺ軸上の各点で求め、ｘｙｚ空間のZ軸上に値をプロットするようにするとよい。
【００６８】
この場合、「ｘｙｚ空間のＺ軸上に値をプロットする」とは、最大推進力円Ｒの中心の座標（ｘ,ｙ）において一意に定まるΓの値を目に見える形で示すということであり、例えばグラフとしてはｘｙ平面を使う二次元的なものにとどめた複数のグラフを用い、各グラフにおけるその値の高低について色で示したり、あるいは等高線で表現するといった種々の工夫を妨げるものではない。Γの値とその高低を視認しうる手段であればその如何は問わない。
【００６９】
その上で、原点近傍にΓのピークと見られるものがある場合はその点の（ｘ,ｙ）座標をもってプロペラの回転軸の中心軸とする。見当たらない場合は、スケグのセンター軸からプロペラの回転半径以上には離れない範囲でプロペラの回転軸の座標（ｘ,ｙ）を、最大推進力円Ｒ中心座標制御部が順次変えていき、グラフプロット部がそれぞれの計算結果であるΓの値をプロットしていく。
【００７０】
原点近傍のΓのピークとは、回転流は当然、スケグのセンター軸の近傍において生じており、センター軸から十分に離れた場所においてはそもそも回転流が発生しておらず、そこではプロペラの回転軸の中心をいかように変化させてもΓの値は変化しない。よってΓのピークが存在するならば、それはスケグのセンター軸からそう離れた場所にはなく、最も離れるものでもスケグのセンター軸からプロペラの半径程度の範囲と考えられる。
【００７１】
こうして、当該スケグ形状とプロペラの大きさにおいて当該船舶の推進性能がほぼ最大になるプロペラの回転の中心軸が決まる。
【００７２】
推進性能がほぼ最大とは、船舶の形状によっては、たとえばポッド推進を用いたとしても、物理的な制約などから最適な位置にプロペラの回転軸を設定することができない可能性もあるところ、そういった場合には、理論的に求められた最適な回転軸の座標の近傍に設定することをいう。本発明の趣旨はスケグ形状とプロペラの位置関係により推進性能の向上を図ることにあり、本発明の実施に際して推進性能を飽くまで厳密に最大化するということに限定するものではなく、実質的に最大化すれば、本願の趣旨に合致する。
【００７３】
なお、上述したものは、飽くまでプロペラの回転軸の最適な位置を求めるためにソフトウェア的なものを用いた手法の一例であり、例えば決まったスケグ形状に前方から水流を当て、船舶の推進時と同様の環境を作り出し、その後方でポッド推進器を動作させてそのポッド推進器が得る力を測定するなどして、実験から得た実測値をもって推進力の最大となるプロペラの回転軸を求めるといった方法を用いても良い。
【００７４】
図９及び図１０は、当該船舶のスケグの形状とプロペラの半径・形状により一意的に定まるプロペラの回転の中心軸座標を求めるグラフプロットした循環の等高線及びこの等高線を３次元表示した結果を示す模式図である。上記の一連のステップにおいて導出された近似的な循環Γをプロットしたものである。図９はＺ軸からグラフを見た図、図１０はそのグラフの俯瞰図を示している。
【００７５】
この近似的な循環は、スケグ後方で生じる回転流のベクトルが平面上に定義されていれば、プロペラの回転軸をどこに設置するか、およびプロペラの回転半径の大きさに基づいて求めることができる。この近似的な循環を最大にするプロペラの回転軸座標（ｘ,ｙ）が、プロペラにとって伴流利得を最大にする点であり、当該スケグ形状とプロペラの大きさ（回転半径）において略最適なプロペラの回転軸の位置であると考えられる。
【００７６】
次に、上記のように構成される上記実施の形態の作用・動作、及び当該船舶が前進時に得る推進力の増大効果について説明する。
【００７７】
当該船舶は、図１に示すとおり、スケグとポッド推進器のセットを二つ備えている。スケグは図４Ｂに示すとおり、ひねりを加えた形状をしている。ポッド推進器は、図１で示すものの左側のものが時計回りの回転を、右側のものが反時計回りの回転をしており、それぞれがそれぞれ船体の中心軸側に向かって、図８に示すような形のオフセットをもって設置されている。
【００７８】
当該船舶が前進を始めると、船尾部およびスケグ後方には流れが生じ始める。船体の中央の左右のスケグの間からは、それぞれ左方向と右方向に向かう流れが生じるが、上述の通り、スケグにはひねりが加わっているため、左のスケグに関してはその右側、右のスケグに関してはその左側に回転流を生じ、それぞれの反対側に生じている流れよりも強くなっている。つまり、船舶の中心軸の側により強い回転流が発生している。
【００７９】
この回転流をカウンターフローとして捕らえるために、船体の中心軸方向に向かってポッド推進器がオフセットを持って設置されている。これにより、ひねり形状のスケグによって生じている回転流を、オフセットを持つことでさらにプロペラがカウンターフローとしてより多く捕らえることができるため、ごく一般的なスケグ形状、および軸心を共にしたポッド推進器の位置設定の船舶と比較して、著しく推進力は増大する。
【００８０】
よって、本実施の形態１によれば、回転流を増幅させる変形型スケグ形状、およびそのスケグ形状とプロペラの組み合わせにおいて伴流利得を最大にするプロペラの回転軸位置を求めることができ、機械式ドライブを含むポッド推進器を用いることでその最適な回転軸位置にプロペラを設置することができるため、種々の船舶の推進効率の向上、燃費の低下に貢献する。
【００８１】
また、二軸船尾双胴型船舶とすることにより、船体の安定性のため設けられるスケグが小型のものでよくなり、プロペラ前方の障害物としての伴流への悪影響が少なくなる上、駆動軸の中心がスケグのセンター軸からオフセットを持たせたプロペラを持つことで、二軸船尾双胴型船舶に特有の流れを利用してスケグ後方にプロペラの回転方向と逆方向の流れを作ることが可能となり、伴流利得を増やすことができる。すなわち、オフセットによりスケグ後方にプロペラに対し推進効率上、有効に作用する流れのベクトル成分を多くすることができ、推進効率を向上させた省エネルギーの観点で望ましい船舶が提供される。
【００８２】
また、プロペラを駆動し船舶を推進するポッド型推進器とオフセットを持たせて位置設定したスケグにより、プロペラの前部に一軸型推進船や二軸型推進船などが有する推進軸を通す構造物が無いため、プロペラ前方の障害物としての伴流への悪影響が更に少なくでき、プロペラの推進効率に悪影響を与える水流が無くせ、かつスケグ後方に生じる流れをプロペラにカウンターフローとして最適に作用させることができる。したがって、スケグ後方に生じる流れをプロペラにカウンターフローとして有効に作用させ、更に推進効率の向上が図れる。
【００８３】
さらに、流れベクトルデータを求めた上で、プロペラ半径の入力と最大推進力円の描画、最大推進力円Ｒの中心座標値を連続的変動と最大推進力円Ｒ上の流れベクトル導出、流れベクトル値の最大推進力円上での全周分線積分、線積分結果からのグラフプロットによる等高線の描出、等高線の最大箇所の最適位置同定、といった一連の処理をアルゴリズム化できるので、結果的に、当該スケグ形状とプロペラの組み合わせにおいてプロペラの受けるカウンターフローを大きくするようなプロペラ設置の最適位置の算出処理を自動化した船尾形状の設計方法を実現できる。
【００８４】
機械式ドライブを含むポッド推進器を用いている既存船舶の場合は、その設置位置にオフセットを持たせるという軽易な改造のみで推進効率を高めることができ、費用対効果が高く、かつ省資源である。
【００８５】
また、極地の流氷域等の塩分濃度の高い海域や、海水温の高低といった航行環境の違いにより海水の粘度が上下したり、積載量による喫水の変化等により、伴流の大きさやベクトルが変化することを想定し、プロペラのオフセット位置を最適な場所へ適宜変更できるといった仕組みをとることで、さらに推進効率の向上、燃費の低下が図れるものと考えられる。
【００８６】
なお、本発明は上述した実施形態に限定されるものではなく、本発明の主旨を逸脱しない範囲内で種々変更して実施することが可能である。
【００８７】
たとえば、プロペラのオフセット位置を最適な場所へ適宜変更できるとは、一度の航行スケジュールの単位でプロペラのオフセット位置を付け替えやその他の手段によって変更するという形でもよいし、例えば海水の温度や粘度、また喫水等の情報をリアルタイムに計測する手段を当該船舶に設置しておき、その状況で最適なプロペラのオフセット位置を随時、自動で変更するといったシステムを備えて調整するという形でも良い。
【００８８】
また、上述した実施の形態は、本発明に係る技術思想を具現化するための一例を示したにすぎないものであり、他の実施形態でも本発明に係る技術思想を適用することが可能である。
【産業上の利用可能性】
【００８９】
したがって、本発明は、大型船舶をはじめとして、小型船舶に対して利用可能であり、さらに、造船業、海運業をはじめとした海事産業全般のみならず、環境面においても広く社会全般に対して大きな有益性をもたらすものである。
【符号の説明】
【００９０】
１  船体
２Ａ、２Ｂ、３Ａ、３Ｂ  オフセット
１１、１２、５１、５２  スケグ
２１０、２２０  ポッド推進器
２１０１、２２０１、３１０１、３２０１  プロペラ  
２１０１Ａ、２２０１Ａ、３１０１Ａ、３２０１Ａ  プロペラ軸心
３１０、３２０  主機関直結型推進器
３２０２  駆動軸  
３２０３  主機関
１１Ａ、１２Ａ、５１Ａ、５２Ａ  センター軸
６１、６２  突出部
【図１】
2011168238.tif 000003
【図２】
2011168238.tif 000004
【図３】
2011168238.tif 000005
【図４Ａ】
2011168238.tif 000006
【図４Ｂ】
2011168238.tif 000007
【図５】
2011168238.tif 000008
【図６】
2011168238.tif 000009
【図７】
2011168238.tif 000010
【図８】
2011168238.tif 000011
【図９】
2011168238.tif 000012
【図１０】
2011168238.tif 000013